(57)【要約】      （修正有）【課題】冷凍、冷蔵温度帯域以外の温度帯域で保冷対象物品を簡便に配送するボックス単位での輸送サービスを提供する。【解決手段】保冷容器２００は、断熱構造の保冷容器であり、内部に蓄熱剤及び蓄冷剤を設置可能な構成となっており、断熱構造の蓋を有する。保冷容器２００は、一人で持ち運び可能な大きさ及び重量である。蓄熱剤及び蓄冷剤が設置された保冷容器２００の中に医薬品を収納し、冷蔵タイプのキャスター付きボックス１００に保冷容器２００を収納し、冷蔵タイプのキャスター付きボックス１００を配送先に配送することにより、天候、季節による外気温変動の影響を受けず、１年を通して同じ出荷作業で、保冷容器２００の中の温度を一定期間、所望の温度帯に保ち、医薬品を簡便に配送先に配送することができる。【選択図】図３
2020083529.tif 000002
【特許請求の範囲】
【請求項１】
保冷対象物品の定温配送方法であって、
保冷容器の中に前記保冷対象物品を収納し、保冷機能を有するボックスに前記保冷容器を収納し、前記ボックスを配送先に配送することで、前記保冷対象物品を前記配送先に配送する保冷対象物品の定温配送方法。
【請求項２】
保冷対象物品の定温配送方法であって、
顧客窓口店又は運送業者(集荷)は、コントロールセンターに保冷容器の貸し出し依頼を行い、
前記コントロールセンターは、お客様(集荷先)に前記保冷容器を貸し出し、
前記お客様(集荷先)は、前記保冷容器の中に前記保冷対象物品を収納し、
前記顧客窓口店又は運送業者(集荷)は、保冷機能を有するボックスに前記保冷容器を収納し、前記お客様(集荷先)より前記ボックスを集荷し、
前記顧客窓口店又は運送業者(集荷)は、前記ボックスを幹線業者(発)の営業所に持ち込み、
運送業者(配達)は、前記ボックスを幹線業者(着)の営業所から引き取り、
前記運送業者(配達)は、前記ボックスをお客様(配送先)に配達することで、前記保冷対象物品を前記お客様(配送先)に配送する保冷対象物品の定温配送方法。
【請求項３】
前記運送業者(配達)は、前記コントロールセンターに前記保冷容器を返却する請求項２記載の保冷対象物品の定温配送方法。
【請求項４】
前記ボックスは保冷剤、又は蓄冷剤を設置可能な構成であり、
定められた保冷剤、又は蓄冷剤を前記ボックスに設置することによって前記ボックスの中の温度を第１の温度帯に保つ請求項１乃至３何れか１項記載の保冷対象物品の定温配送方法。
【請求項５】
前記保冷容器は蓄熱剤及び保冷剤、又は蓄冷剤を設置可能な構成であり、
定められた蓄熱剤及び保冷剤、又は蓄冷剤を前記保冷容器に設置し、前記ボックスに前記保冷容器を収納することで、前記保冷容器の中の温度を第２の温度帯に保つ請求項４記載の保冷対象物品の定温配送方法。
【請求項６】
前記ボックスには複数の前記保冷容器を収納することができ、
それぞれの保冷容器は蓄熱剤及び保冷剤、又は蓄冷剤を設置可能な構成であり、
前記それぞれの保冷容器に収納される保冷対象物品に応じた温度帯を保つために予め定められた蓄熱剤及び保冷剤、又は蓄冷剤を前記それぞれの保冷容器に設置し、前記ボックスに前記それぞれの保冷容器を収納することで、前記それぞれの保冷容器の中の温度を前記それぞれの保冷容器に収納される保冷対象物品に応じた温度帯に保つ請求項４又は５記載の保冷対象物品の定温配送方法。
【請求項７】
前記ボックスは、キャスター付きボックスである請求項１乃至６何れか１項記載の保冷対象物品の定温配送方法。
【請求項８】
前記保冷対象物品は、医薬品、又は食料品である請求項１乃至７何れか１項記載の保冷対象物品の定温配送方法。
【発明の詳細な説明】
【技術分野】
【０００１】
本発明は、保冷対象物品の定温配送方法に関する。
【背景技術】
【０００２】
ボックス単位で冷蔵、冷凍の空間を提供する輸送サービスがある（非特許文献１）。
【先行技術文献】
【非特許文献】
【０００３】
【非特許文献１】"クールBOXチャーター便のご紹介  冷蔵・冷凍商品を専用ボックスで配送" 、［online］、［平成３０年７月２４日検索］、インターネット＜URL: http://www.jitbox.co.jp/service/cool/index.html＞
【発明の概要】
【発明が解決しようとする課題】
【０００４】
非特許文献１のボックスは、冷凍の場合は、−１５度以下、冷蔵の場合は、０度〜１０度で設定し、商品を配送可能となっている。しかし、上述した温度帯域以外の温度帯域で保冷対象物品を簡便に配送したいという要望がある。
【課題を解決するための手段】
【０００５】
本発明は、保冷対象物品の定温配送方法であって、保冷容器の中に前記保冷対象物品を収納し、保冷機能を有するボックスに前記保冷容器を収納し、前記ボックスを配送先に配送することで前記保冷対象物品を前記配送先に配送する。
【発明の効果】
【０００６】
本発明によれば、保冷容器の中の温度を一定期間、所望の温度に保ち、保冷対象物品を簡便に配送することができる。
【図面の簡単な説明】
【０００７】
【図１】冷蔵タイプのキャスター付きボックスの外観の一例を示す図である。
【図２】保冷容器の外観の一例を示す図である。
【図３】冷蔵タイプのキャスター付きボックス及び保冷容器の断面の一例を示す図である。
【図４】冷蔵タイプのキャスター付きボックス及び保冷容器を用いた医薬品の配送の一例を示す図である。
【発明を実施するための形態】
【０００８】
以下、本発明の実施形態について図面に基づいて説明する。以下では、医薬品の配送を例に定温配送方法を説明する。医薬品としては、各種ワクチン、培地等がある。これらの医薬品は２度〜８度の温度帯での配送が求められる。
【０００９】
図１は、冷蔵タイプのキャスター付きボックスの外観の一例を示す図である。冷蔵タイプのキャスター付きボックス１００は、断熱構造のキャスター付きボックスであり、内部に蓄冷剤を設置可能な構成となっている。冷蔵タイプのキャスター付きボックス１００の内部に所定の数の蓄冷剤を設置することにより、冷蔵タイプのキャスター付きボックス１００の輸送時の内部温度は一定時間、０〜１０度を保つことが可能となっている。冷蔵タイプのキャスター付きボックス１００の内寸は、幅９６４ｍｍ、奥行き９５５ｍｍ、高さ１４７７ｍｍである。
冷蔵タイプのキャスター付きボックス１００は、保冷機能を有するボックスの一例である。
図２は、保冷容器の外観の一例を示す図である。保冷容器２００は、断熱構造の保冷容器であり、内部に蓄熱剤及び蓄冷剤を設置可能な構成となっている。また、図２（ｂ）に示されるように、保冷容器２００は、断熱構造の蓋を有する。保冷容器２００は、一人で持ち運び可能な大きさ及び重量の保冷容器である。また、保冷容器２００の外寸は、幅８００ｍｍ、奥行き４４０ｍｍ、高さ６３０ｍｍである。
蓄熱剤及び蓄冷剤が設置された保冷容器２００の中に医薬品を収納する。そして、冷蔵タイプのキャスター付きボックス１００に保冷容器２００を収納し、冷蔵タイプのキャスター付きボックス１００を配送先に配送することで、医薬品を配送先に配送する。
このような配送方法とすることにより、天候、季節による外気温変動の影響を受けず、１年を通して同じ出荷作業で、保冷容器２００の中の温度を一定期間、所望の温度帯に保ち、医薬品を簡便に配送先に配送することができる。
【００１０】
図３は、冷蔵タイプのキャスター付きボックス１００及び保冷容器２００の断面の一例を示す図である。
保冷容器２００は、断熱構造であり、上部に断熱構造の蓋を有する。また、図３（ａ）に示されるように、保冷容器２００は、蓄熱剤及び蓄冷剤を内部に設置することができる構成となっている。図３（ａ）の例では、保冷容器２００の左右の内壁に蓄冷剤を設置し、上部の蓋に蓄熱剤を設置する例を示しているが、蓄冷剤及び蓄熱剤の数、及び設置場所は図３（ａ）に限定されず、所望の温度帯に応じて適宜変更される。
冷蔵タイプのキャスター付きボックス１００は、断熱構造であり、手前側に断熱構造のドアを有する。また、図３（ｂ）に示されるように、冷蔵タイプのキャスター付きボックス１００は、蓄冷剤を内部に設置することができる構成となっている。
【００１１】
図４は、冷蔵タイプのキャスター付きボックス及び保冷容器を用いた医薬品の定温配送の一例を示す図である。
（１）において、顧客窓口店又は運送業者(集荷)は、コントロールセンターに保冷容器２００の貸し出し依頼を行う。
（２）において、コントロールセンターは、お客様(集荷先)に保冷容器２００を貸し出す。
お客様（集荷先）は、保冷容器２００の中に、蓄熱剤及び蓄冷剤をセットした上で、医薬品を収納する。ここで、保冷容器２００に、医薬品を収納するのは、顧客窓口店又は運送業者（集荷）であってもよい。
（３）において、顧客窓口店又は運送業者（集荷）は、冷蔵タイプのキャスター付きボックス１００に保冷容器２００を収納し、お客様（集荷先）よりキャスター付きボックス１００を集荷する。
（４）において、顧客窓口店又は運送業者（集荷）は、冷蔵タイプのキャスター付きボックス１００を発地の幹線業者(発)の営業所に持ち込む。
（５）において、幹線業者(発)は、冷蔵タイプのキャスター付きボックス１００を幹線業者(着)の営業所に配送する。
（６）において、運送業者（配達）は、冷蔵タイプのキャスター付きボックス１００を着地の幹線業者の営業所から引き取る。ここで、幹線業者及び運送業者の何れか又は双方は複数社であってもよい。
（７）において、運送業者（配達）は、冷蔵タイプのキャスター付きボックス１００をお客様（配送先）に配達することで、保冷容器２００内の医薬品をお客様（配送先）に配送する。
（８）において、運送業者(配達)は、保冷容器２００を回収する。
（９）において、運送業者(配達)は、保冷容器２００を返却する。
【００１２】
保冷容器２００を冷蔵タイプのキャスター付きボックス１００に収納することにより、断熱構造を二重化し、保冷容器２００の中の温度を一定期間、安定して、所望の温度帯に保つことができる。
また、保冷容器２００内の蓄熱剤及び蓄冷剤、及び冷蔵タイプのキャスター付きボックス１００内の蓄冷剤の何れか又は双方の数を変更することによって、容易に保冷容器２００の中の温度を所望の温度帯におさまるように変更することができる。
また、冷蔵タイプのキャスター付きボックス１００内に収納されている複数の保冷容器２００内の蓄熱剤及び蓄冷剤の数をそれぞれ適宜変更することによって、同じキャスター付きボックス内であっても保冷容器２００内の温度をそれぞれ変更することができる。この様にすることにより、同じ冷蔵タイプのキャスター付きボックス１００において、医療機器、医薬品、工業製品、食料品等、それぞれ所望の温度帯が異なる保冷対象物品を配送することができる。所望の温度帯毎の蓄熱剤及び蓄冷剤の数は、予めマニュアルに定められている。
また、本実施形態の定温配送方法によれば、冷蔵車を貸し切って冷蔵車の中に保冷容器を収納して配送する方法よりも、冷蔵に係るエネルギーが少なく、環境に配慮した配送、熱効率のよい配送、を実現することができる。また、冷蔵車を貸し切るまでもない量の保冷対象物品を配送する際に便宜である。
また、冷蔵タイプのキャスター付きボックス１００を使用することにより、集荷先から配送先まで医薬品の積み替えなしで配送することができるため、同じ配送先の複数の医薬品が分かれて配送されるリスクを抑制することができる。また、ボックスで囲われての輸送であるため、医薬品の破損リスクを抑制することができる。
【００１３】
以上、本発明の実施形態の一例について詳述したが、本発明は係る特定の実施形態に限定されるものではない。
例えば、上述した実施形態では、冷蔵タイプのキャスター付きボックス１００の内部に所定の数の蓄冷剤を設置することにより、冷蔵タイプのキャスター付きボックス１００の輸送時の内部温度を一定時間、０〜１０度に保つよう説明を行った。しかし、蓄冷剤の数だけではなく、蓄冷剤の数及び蓄冷剤の大きさ及び種類及び蓄冷剤を設置する場所の任意の組合せに応じて、冷蔵タイプのキャスター付きボックス１００の輸送時の内部温度を一定時間、０〜１０度に保つようにしてもよい。冷蔵タイプのキャスター付きボックス１００の輸送時の内部温度を一定時間、０〜１０度に保つための蓄冷剤の数、大きさ、種類、蓄冷剤を設置する場所及びこれらの任意の組合せの情報は予め実験され、マニュアルに定められている。０〜１０度は、第１の温度帯の一例である。ここで、充電式の冷蔵タイプのキャスター付きボックスで、輸送時の内部温度を一定時間、０〜１０度に保つようにしてもよい。
また、例えば、上述した実施形態では、保冷容器２００の内部に所定の数の蓄熱剤及び蓄冷剤を設置し、冷蔵タイプのキャスター付きボックス１００に保冷容器２００を収納することで、保冷容器２００の輸送時の内部温度を一定時間、２〜８度に保つよう説明を行った。しかし、蓄熱剤及び蓄冷剤の数だけではなく、蓄熱剤及び蓄冷剤の数及び大きさ及び種類及び蓄熱剤及び蓄冷剤を設置する場所の任意の組合せに応じて、冷蔵タイプのキャスター付きボックス１００に収納した保冷容器２００の輸送時の内部温度を一定時間、２〜８度に保つようにしてもよい。冷蔵タイプのキャスター付きボックス１００に収納した保冷容器２００の輸送時の内部温度を一定時間、２〜８度に保つための蓄熱剤及び蓄冷剤の数、大きさ、種類、蓄熱剤及び蓄冷剤を設置する場所及びこれらの任意の組合せの情報は予め実験され、マニュアルに定められている。２〜８度は、第２の温度帯の一例である。
【００１４】
また、上述した実施形態では、蓄冷剤を例に説明を行ったが、蓄冷剤の替わりに保冷剤を用いてもよい。また、上述した実施形態では、保冷対象物品の一例として主に医薬品を例に説明を行ったが、一定期間、所望の温度に保ち配送する必要があるものなら他の荷物であってもよい。他の荷物としては、凍結不可の医療機器、工業用品、食料品等がある。
【符号の説明】
【００１５】
１００  冷蔵タイプのキャスター付きボックス
２００  保冷容器
【図１】
2020083529.tif 000003
【図２】
2020083529.tif 000004
【図３】
2020083529.tif 000005
【図４】
2020083529.tif 000006